(57)【特許請求の範囲】
【請求項１】
支持部材の外面である取付け面に、平板状に形成されるとともに側面の全周にわたり溝部が形成された板部材を着脱可能に取付けるための取付け構造であって、
前記取付け面から前記支持部材の内部側に向かう内部方向に凹むように前記支持部材に形成された没入部と、
前記板部材に設けられ、前記板部材の前記内部方向の先端となる前記側面に形成された前記溝部の深さよりも大きな寸法で前記没入部に挿入され嵌まり込む挿入部と、
を備えることを特徴とする取付け構造。
【請求項２】
前記板部材は、
前記溝部が形成された平板状の芯部材と、
シート状に形成され、前記芯部材の第一の主面及び第二の主面をそれぞれ覆う表面部材と、
を有し、
前記芯部材の前記溝部内に前記表面部材の端部が収容されて、前記芯部材に前記表面部材が取付けられていることを特徴とする請求項１に記載の取付け構造。
【請求項３】
前記板部材の前記挿入部の厚さが、前記板部材における前記挿入部以外の板部本体の厚さよりも薄いことで、前記挿入部と前記板部本体との間に段部が形成されることを特徴とする請求項１又は２に記載の取付け構造。
【請求項４】
前記板部材は、前記内部方向の先端となる前記側面に形成された前記溝部内に配置される補強部材を備えることを特徴とする請求項１から３のいずれか一項に記載の取付け構造。
【請求項５】
前記補強部材の前記板部材の厚さ方向の長さは、
前記板部材における前記内部方向の先端となる前記側面に沿うとともに前記厚さ方向に直交する直交方向の一方側では、前記板部材の前記内部方向の先端となる前記側面に形成された前記溝部の幅以下であり、
前記直交方向の他方側では、前記板部材の前記内部方向の先端となる前記側面に形成された前記溝部の幅よりも長いことを特徴とする請求項４に記載の取付け構造。
【請求項６】
前記板部材における前記内部方向の先端となる前記側面に沿うとともに前記板部材の厚さ方向に直交する直交方向の長さは、前記板部材の前記挿入部よりも、前記板部材における前記挿入部以外の板部本体の方が長いことを特徴とする請求項１から５のいずれか一項に記載の取付け構造。
【請求項７】
前記芯部材は、
前記板部材の厚さ方向に重ねて配置された一対の内板と、
一対の前記内板を前記厚さ方向に挟むように配置され、前記内板よりも外形の大きい一対の外板と、
を有し、
前記内板の外形と前記外板の外形とが異なることで、前記芯部材に前記溝部が形成されることを特徴とする請求項２に記載の取付け構造。
【請求項８】
上面が作業面とされた天板と、
前記天板を支持する脚部と、
前記作業面から前記天板の内部側へと広がるように形成された凹部と、
前記凹部内に設けられた支持部材と、
前記支持部材に着脱可能とされた板部材と、
請求項１から７のいずれか一項に記載の取付け構造と、
を備えることを特徴とする什器。
【発明の詳細な説明】
【技術分野】
【０００１】
本発明は、板部材を取付けるための取付け構造、及びこの取付け構造を備える什器に関する。
【背景技術】
【０００２】
オフィス等や公共施設等の執務空間においては、床面上に左右方向に離間して立設された複数の脚部間に左右方向の寸法が長尺な天板を架設することによって、大型のテーブル等の什器を構成したものが一般的である。什器をこのように構成することによって、組織変更等によってワーカー数が増減した場合においても、天板の左右方向における一人当たりの使用面積を調整することによって、柔軟に対応することを可能とすることができる。
【０００３】
テーブルの天板上においては、ワーカー同士の目線を遮ったり、作業領域を区画するためにパネル体（板部材）を立設するケースが多く見られており、パネル体の取付け構造としては、テーブルに固定された前後一対の支持部材によってパネル体を挟持する取付け構造が多く見られている（例えば、特許文献１及び２参照）。これらの取付け構造によれば、簡易的な構造でありながら確実、かつ安定的にパネル体を支持することができる。
ただし、取付作業に工具を用いなければならないため、ワーカーが所望の位置にパネル体を都度取り付けるような使い勝手には向いておらず、什器としての使い勝手が悪くなってしまっていた。
【０００４】
こうした問題を鑑み、什器に形成された上下方向を向く嵌合溝部（没入部）にパネル体の下端部を上方から嵌入することによって支持する取付け構造（例えば、特許文献３参照）が検討されている。この取付け構造によれば、ワーカーが嵌合溝部に沿った任意の位置にパネル体を嵌合させて取付けることが可能となっている。
【先行技術文献】
【特許文献】
【０００５】
【特許文献１】特開２００３−０１３５２０号公報
【特許文献２】特開２０１０−０８２３６７号公報
【特許文献３】実開平０７−０２３１２２号公報
【発明の概要】
【発明が解決しようとする課題】
【０００６】
また、パネル体の構造としては、パネル体としての体裁を柔らかで暖かい印象のものとするため、構造体である芯部材をクロス等の表面部材で覆う、いわゆる布貼りをすることによって構成されたものが多く見られている。
この種のパネル体では、芯部材の側面に溝部を形成し、この溝部に表面部材の端部を収容することで、外部から表面部材の端部を見えにくくして、パネル体の外観を向上させている。
【０００７】
しかしながら、芯部材に溝部を形成することで、芯部材の側面近くの強度が低下する。このため、没入部内に芯部材の端部を挿入して支持部材に板部材を取付け、板部材の上部を揺動させたときに、没入部の内面に接触した板部材の挿入部が大きく変形し、取付け構造の強度が低下する問題がある。
【０００８】
本発明は、このような問題点に鑑みてなされたものであって、板部材と支持部材との接続強度を高めた取付け構造、及びこの取付け構造を備える什器を提供することを目的とする。
【課題を解決するための手段】
【０００９】
上記課題を解決するために、この発明は以下の手段を提案している。
本発明の取付け構造は、支持部材の外面である取付け面に、平板状に形成されるとともに側面の全周にわたり溝部が形成された板部材を着脱可能に取付けるための取付け構造であって、前記取付け面から前記支持部材の内部側に向かう内部方向に凹むように前記支持部材に形成された没入部と、前記板部材に設けられ、前記板部材の前記内部方向の先端となる前記側面に形成された前記溝部の深さよりも大きな寸法で前記没入部に挿入され嵌まり込む挿入部と、を備えることを特徴としている。
【００１０】
この発明によれば、取付け面に板部材を取付けて、板部材における没入部から外部に突出している部分を揺動させると、板部材の挿入部は没入部に嵌まり込んで支持されているため、板部材に作用する応力は板部材における取付け面近くの部分に集中する。挿入部は、板部材の内部方向の先端となる側面に形成された溝部の深さよりも大きな寸法で没入部に挿入されていて、取付け面近くには板部材の挿入部における溝部が形成されていない、比較的強度が高い部分が配置される。
【００１１】
また、上記の取付け構造において、前記板部材は、前記溝部が形成された平板状の芯部材と、シート状に形成され、前記芯部材の第一の主面及び第二の主面をそれぞれ覆う表面部材と、を有し、前記芯部材の前記溝部内に前記表面部材の端部が収容されて、前記芯部材に前記表面部材が取付けられていることがより好ましい。
この発明によれば、端部を見えなくした表面部材を芯部材に取付けて板部材を構成することで、板部材の体裁が良くなる。
【００１２】
また、上記の取付け構造において、前記板部材の前記挿入部の厚さが、前記板部材における前記挿入部以外の板部本体の厚さよりも薄いことで、前記挿入部と前記板部本体との間に段部が形成されることがより好ましい。
この発明によれば、取付け面に板部材を取付けたときに取付け面に段部を係止することで、取付け面に対して板部材が内部方向に移動するのを規制することができる。
【００１３】
また、上記の取付け構造において、前記板部材は、前記内部方向の先端となる前記側面に形成された前記溝部内に配置される補強部材を備えることがより好ましい。
この発明によれば、板部材の内部方向の先端となる側面に形成された溝部が形成された部分の強度を高めることができる。
【００１４】
また、上記の取付け構造において、前記補強部材の前記板部材の厚さ方向の長さは、前記板部材における前記内部方向の先端となる前記側面に沿うとともに前記厚さ方向に直交する直交方向の一方側では、前記板部材の前記内部方向の先端となる前記側面に形成された前記溝部の幅以下であり、前記直交方向の他方側では、前記板部材の前記内部方向の先端となる前記側面に形成された前記溝部の幅よりも長いことがより好ましい。
この発明によれば、溝部内に直交方向の一方側から補強部材を挿入することで、溝部の幅が自然状態のときよりも広がる。これにより、挿入部の幅も広がり、没入部の内面に挿入部が強く接触し、没入部に挿入部をより確実に取付けることができる。
【００１５】
また、上記の取付け構造において、
前記板部材における前記内部方向の先端となる前記側面に沿うとともに前記板部材の厚さ方向に直交する直交方向の長さは、前記板部材の前記挿入部よりも、前記板部材における前記挿入部以外の板部本体の方が長いことがより好ましい。
この発明によれば、没入部から外部に板部本体の隅部が突出する。この隅部を例えば丸みを帯びた形状にすることで、板部材の体裁を柔らかで暖かい印象のものとすることができる。
【００１６】
また、上記の取付け構造において、前記芯部材は、前記板部材の厚さ方向に重ねて配置された一対の内板と、一対の前記内板を前記厚さ方向に挟むように配置され、前記内板よりも外形の大きい一対の外板と、を有し、前記内板の外形と前記外板の外形とが異なることで、前記芯部材に前記溝部が形成されることがより好ましい。
この発明によれば、１枚の内板と１枚の外板とを貼り合わせた状態で、外板における内板とは反対側に表面部材を配置し、表面部材の端部を内板と外板との段部に取付ける。このような内板、外板、及び表面部材による組立体を２組作製し、両組立体の内板同士を貼り合わせることで、板部材を容易に製造することができる。
【００１７】
また、本発明の什器は、上面が作業面とされた天板と、前記天板を支持する脚部と、前記作業面から前記天板の内部側へと広がるように形成された凹部と、前記凹部内に設けられた支持部材と、前記支持部材に着脱可能とされた板部材と、上記のいずれか一項に記載の取付け構造と、を備えることを特徴としている。
この発明によれば、什器が備える取付け構造における板部材と支持部材との接続強度を高めることができる。
【発明の効果】
【００１８】
本発明の取付け構造及び什器によれば、板部材と支持部材との接続強度を高めることができる。
【図面の簡単な説明】
【００１９】
【図１】本発明の一実施形態のテーブルの斜視図である。
【図２】同テーブルにおける天板を取外したときの斜視図である。
【図３】同テーブルの要部の側面の断面図である。
【図４】図３中の要部拡大図である。
【図５】同テーブルに取付けられるデスクトップパネルの正面図である。
【図６】同デスクトップパネルの側面の断面図である。
【図７】同テーブルのオプション取付け部材にデスクトップパネルを取付けた状態を示す一部を破断した斜視図である。
【図８】同デスクトップパネルが備える補強部材の平面図である。
【図９】同デスクトップパネルの製造方法を説明する断面図である。
【発明を実施するための形態】
【００２０】
以下、本発明に係る什器の一実施形態を、什器がテーブルである場合を例にとって図１から図９を参照しながら説明する。
図１及び２に示すように、本実施形態のテーブル１は、上面が作業面１０ａとされた天板１０と、天板１０を支持する脚部２０と、作業面１０ａから天板１０の内部側へと広がるように形成された配線挿通部（凹部）５０と、配線挿通部５０内に設けられたオプション取付け部材（支持部材）６０と、配線挿通部５０の開口５０ａ（図１参照。）に着脱可能に取付けられる配線カバー９０とを備えている。なお、図２では天板１０を仮想線で示している。
【００２１】
この例では、天板１０は平面視で矩形状に形成されている。天板１０の長辺は、ワーカー等である使用者が、天板１０を使用する側の縁部である使用縁部１０ｂ、１０ｃとなっている。すなわち、複数の使用者は、不図示の椅子などに着座した状態で天板１０の使用縁部１０ｂ、１０ｃに沿って並び、作業面１０ａ上で作業を行うことになる。
以下では、使用縁部１０ｂ、１０ｃに平行な方向を幅方向Ｘ、天板１０の短辺１０ｄに平行な方向を奥行方向Ｙと称する。これら幅方向Ｘ及び奥行方向Ｙは、作業面１０ａに平行であるとともに、互いに直交する方向である。
【００２２】
天板１０は、平面視で矩形状の４枚の天板部材１１、１２、１３、１４を有している。天板部材１１、１２、１３、１４の下面の所定位置には、図示しないナットが埋め込まれている。
天板部材１１、１２、１３、１４は、各２枚の天板部材１１、１２、及び、天板部材１３、１４が長手方向の端面を突き合せて、奥行方向Ｙの幅を一定にした連続した机上面を形成している。これらの連続した机上面を形成する２組の天板部材の対（以下、「天板１５、１６」と称する。）が奥行方向Ｙの中央部に隙間Ｓ１を挟んで対向して配置されるようになっている。この隙間Ｓ１は、前述の配線挿通部５０の開口５０ａとなっている。
天板１５、１６は、長尺な辺が互いに平行になるように対向配置され、隙間Ｓ１は幅方向Ｘに沿って連続している。
【００２３】
脚部２０は、幅方向Ｘの両端部に配置される一対の脚体ユニット２１と、その一対の脚体ユニット２１の上部同士を連結する一対の外側連結杆２２、一対の内側連結杆２３と、を備えている。この実施形態では、一対の脚体ユニット２１の間に中間脚２４が配置され、中間脚２４の上部に中継ユニット２５が設けられている。
外側連結杆２２は、脚部２０の奥行方向Ｙの両側の端部に幅方向Ｘに沿うように平行に配置され、天板１０の天板１５、１６の奥行方向Ｙの外側縁部を下方から支持するようになっている。この実施形態の場合、各外側連結杆２２は、一対の金属製の角管部材２２ａ、２２ｂが中継ユニット２５を介して一体に連結され、全体が幅方向Ｘに沿って直線状に延出している。
【００２４】
内側連結杆２３は、脚部２０の奥行方向Ｙの中央部に外側連結杆２２と平行になるように配置され、天板１０の天板１５、１６の奥行方向Ｙの各内側縁部を下方から支持するようになっている。内側連結杆２３同士は奥行方向Ｙに所定距離離間して配置されている。この実施形態の場合、各内側連結杆２３は、一対の金属製の角管部材２３ａ、２３ｂが中継ユニット２５を介して一体に連結され、全体が幅方向Ｘに沿って直線状に延出している。
【００２５】
脚体ユニット２１は、床面Ｆ上に設置されて、幅方向Ｘ及び奥行方向Ｙにそれぞれ直交する上下方向Ｚに延出する２本の脚本体部２８と、奥行方向Ｙに沿って延出して脚本体部２８の上部同士を連結する横梁部２９とを備えている。各脚本体部２８は、金属製の角パイプによって主要部を構成され、その角パイプの上下の端部にエンドプレートが溶接固定されている。
横梁部２９は、プレス成形された２枚の金属プレートが組み合わされ、その主要部が筒状に形成されている。横梁部２９の長手方向の両端部は、脚本体部２８の各上部側面に溶接固定されている。こうして、２本の脚本体部２８の上部に横梁部２９が連結された脚体ユニット２１は、幅方向Ｘから見た側面視が門型状（開口側が下方を向くコ字形状）となっている。
【００２６】
横梁部２９の幅方向Ｘの外側面には、奥行方向Ｙに沿って延出する凹状段部２９ａが形成されている。凹状段部２９ａにはカバー部材３０が脱着可能に取付けられている。凹状段部２９ａ内には、図示しない延長天板やキャビネット等の側方用オプション部品を取付けるための取付け座（符号省略。）が設けられている。カバー部材３０は、横梁部２９の凹状段部２９ａに側方用オプション部品を取付けるときに横梁部２９から取外される。
【００２７】
横梁部２９の幅方向Ｘの内側における上部コーナ部分には、凹状に窪む段差部３１が奥行方向Ｙに沿って連続して設けられている。この段差部３１には、外側連結杆２２の角管部材２２ａ、２２ｂの幅方向Ｘの外側端部を結合するための金属製の支持アーム３２と、内側連結杆２３の角管部材２３ａ、２３ｂの幅方向Ｘの外側端部を結合するための金属製の支持アーム３３とが溶接固定されている。
【００２８】
中間脚２４は、フレーム枠に金属プレートが接合されてパネル状に形成されている。中間脚２４の上端部には、前述の中継ユニット２５が一体に取付けられている。中継ユニット２５は、奥行方向Ｙに延出する角筒状のステー３６の幅方向Ｘの両側の側面に、外側連結杆２２の角管部材２２ａ、２２ｂの幅方向Ｘの内側端部を結合するための金属製の支持アーム３７と、内側連結杆２３の角管部材２３ａ、２３ｂの幅方向Ｘの内側端部を結合するための金属製の支持アーム３８とが溶接固定されている。
支持アーム３２、３３、３７、３８の各上面には、天板１５、１６のナットに対応する位置にボルト挿通孔（符号省略。）が穿設されている。
【００２９】
外側連結杆２２の各角管部材２２ａは、一方の脚体ユニット２１の支持アーム３２と中継ユニット２５の一方の側面の支持アーム３７とに架設され、各角管部材２２ｂは、他方の脚体ユニット２１の支持アーム３２と中継ユニット２５の他方の側面の支持アーム３７とに架設されている。
同様に、内側連結杆２３の各角管部材２３ａは、一方の脚体ユニット２１の支持アーム３３と中継ユニット２５の一方の側面の支持アーム３８とに架設され、各角管部材２３ｂは、他方の脚体ユニット２１の支持アーム３３と中継ユニット２５の他方の側面の支持アーム３８とに架設されている。
【００３０】
天板１５、１６は、両者の間に隙間Ｓ１を設けるようにして、脚部２０の上部に載置されている。そして、支持アーム３２、３３、３７、３８のボルト挿通孔、及び天板１５、１６のナットに図示しない締結ボルトを挿入することで、脚部２０に天板１５、１６が締結固定されている。
【００３１】
図２及び３に示すように、両角管部材２３ａの間、及び両角管部材２３ｂの間には、底部材５１が溶接等によりそれぞれ固定されている。底部材５１は、例えば、金属製の板材を中空の板状に折り曲げて構成することができる。底部材５１には、上下方向Ｚに貫通する透孔５１ａが形成されている。
底部材５１、角管部材２３ａ、２３ｂ、及び天板１０で、前述の配線挿通部５０が構成されている。
底部材５１の上面において、平面視で開口５０ａの奥行方向Ｙの中央部に対応する位置には、前述のオプション取付け部材６０が固定されている。オプション取付け部材６０は、幅方向Ｘに延びるレール状に形成され、配線挿通部５０内に収容されている。
【００３２】
オプション取付け部材６０は、図４に示すように、上方Ｚ２を向く主開口部６１ａを有する取付け部材本体６１と、取付け部材本体６１を奥行方向Ｙに挟むように一対設けられ、上方Ｚ２を向く補助開口部６２ａ、６２ｂを有する取付け部材補助部６２Ａ、６２Ｂとを有している。
取付け部材本体６１は、板状の底部６５と、互いに離間した状態で底部６５から上方に延出する壁部６６Ａ、６６Ｂとを備えている。
本実施形態では、壁部６６Ａ、６６Ｂの構成は、壁部６６Ａ、６６Ｂの間に規定される基準平面Ｐに対して対称（面対称）であるため、壁部６６Ａの構成については数字に英字「Ａ」を付加し、壁部６６Ｂの構成については同一の数字に英字「Ｂ」を付加することで示す。これにより、重複する説明を省略する。
なお、底部６５、及び壁部６６Ａ、６６Ｂで、壁部６６Ａの上端面（取付け面）６７Ａから、上下方向Ｚの一方である下方（内部方向）Ｚ１に凹むように形成された没入部６３が構成される。言い換えれば、没入部６３は、上端面６７Ａから取付け部材本体６１の内部側に向かって凹むように形成されている。上端面６７Ａは、オプション取付け部材６０の外面である。
【００３３】
壁部６６Ａにおける壁部６６Ｂ側の側面６８Ａと底部６５との接続部分には、符号は省略するが下方Ｚ１に向かうにしたがって側面６８Ａから離間するように傾斜した傾斜面を有する接続部が設けられている。上下方向Ｚにおいて、壁部６６Ａ、６６Ｂの上端部の位置は天板１０の作業面１０ａの位置と等しく設定されている（図３参照。）。
側面６８Ａの接続部よりも上方Ｚ２の部分には、上方Ｚ２に向かうにしたがって、突部７２Ａ、案内部７３Ａ、及び縮幅部７４Ａがこの順で形成されている。
【００３４】
突部７２Ａは、没入部６３の内部空間側、すなわち壁部６６Ｂ側に突出するとともに、幅方向Ｘに直交する断面形状が三角形状になるように形成されている。
案内部７３Ａは、側面６８Ａから奥行方向Ｙに沿って壁部６６Ｂ側に延びる本体７５Ａと、本体７５Ａの先端から下方Ｚ１に延びる舌片７６Ａとで構成されている。舌片７６Ａにおける壁部６６Ｂ側の面は、上下方向Ｚに平行となるように形成された案内面７７Ａとなっている。
縮幅部７４Ａは、側面６８Ａから奥行方向Ｙに沿って壁部６６Ｂ側に延びる板状に形成されている。縮幅部７４Ａの上面は、上端面６７Ａと面一になるように形成されている。
これら突部７２Ａ、案内部７３Ａ、及び縮幅部７４Ａが側面６８Ａから壁部６６Ｂ側に突出する長さは、ほぼ等しく設定されている。
【００３５】
取付け部材補助部６２Ａ、６２Ｂの構成も基準平面Ｐに対して対称であるため、取付け部材補助部６２Ａの構成については数字に英字「Ａ」を付加し、取付け部材補助部６２Ｂの構成については同一の数字に英字「Ｂ」を付加することで示す。これにより、重複する説明を省略する。
取付け部材補助部６２Ａは、底部６５から奥行方向Ｙに沿って延びる底部８１Ａと、底部８１Ａに対して上方Ｚ２に離間して底部８１Ａと平行に延びる受け部８２Ａと、底部８１Ａの先端と受け部８２Ａの先端とを接続する接続部８３Ａとを有している。受け部８２Ａには、幅方向Ｘに延びる挿通開口部８４Ａが形成されている。この挿通開口部８４Ａは、前述の補助開口部６２ａとなっている。
受け部８２Ａの下面における挿通開口部８４Ａが形成された部分よりも取付け部材本体６１側には、下方Ｚ１に突出したガイド凸部８５Ａが設けられている。受け部８２Ａの上面の位置は、取付け部材本体６１の上端部の位置よりも下方Ｚ１に設定されている。
【００３６】
詳しくは図示しないが、平面視において、オプション取付け部材６０の主開口部６１ａは、補助開口部６２ａに対して、天板１０の使用縁部１０ｂとは反対側に配置されている。同様に、主開口部６１ａは、補助開口部６２ｂに対して、天板１０の使用縁部１０ｃとは反対側に配置されている。
このように構成されたオプション取付け部材６０の取付け部材本体６１、及び取付け部材補助部６２Ａ、６２Ｂは、アルミニウムを押出し成形することなどで一体に形成されている。
【００３７】
ここで、図３に示すように、オプション取付け部材６０に着脱可能に取付けられるデスクトップパネル（板部材）２００について説明する。
【００３８】
デスクトップパネル２００は、図５及び６に示すように平板状に形成されている。デスクトップパネル２００は、平板状の芯部材２０５と、シート状に形成され、芯部材２０５の互いに反対の面となる第一の主面２０５ａ及び第二の主面２０５ｂをそれぞれ覆うクロス（表面部材）２２５、２２６と、デスクトップパネル２００の後述する溝部２１８内に配置された補強部材２３０とを有している。
芯部材２０５は、デスクトップパネル２００の厚さ方向Ｕに重ねて配置された一対の内板２０６Ａ、２０６Ｂと、一対の内板２０６Ａ、２０６Ｂを厚さ方向Ｕに挟むように配置され、内板２０６Ａ、２０６Ｂよりも外形の大きい一対の外板２０７Ａ、２０７Ｂとを有している。内板２０６Ａと内板２０６Ｂ、外板２０７Ａと外板２０７Ｂは、それぞれが互いに同一の形状に形成されている。第一の主面２０５ａに平行であって互いに直交する第一の直交方向（直交方向）Ｖ及び第二の直交方向Ｗの長さは、内板２０６Ａ、２０６Ｂよりも外板２０７Ａ、２０７Ｂの方がそれぞれ長い。
第一の直交方向Ｖは、デスクトップパネル２００における下方Ｚ１の先端となる後述する芯部材２０５の先端側面２０５ｄに沿うとともに厚さ方向Ｕに直交する方向である。
【００３９】
本実施形態では、内板２０６Ａ、２０６Ｂ、外板２０７Ａ、２０７Ｂの構成は、内板２０６Ａと内板２０６Ｂとの間に規定される基準平面に対してそれぞれ対称（面対称）である。このため、内板２０６Ａ、外板２０７Ａの構成については数字に英字「Ａ」を付加し、内板２０６Ｂ、外板２０７Ｂの構成については同一の数字に英字「Ｂ」を付加することで示す。これにより、重複する説明を省略する。
【００４０】
内板２０６Ａは、厚さ方向Ｕに見たときに矩形状に形成された内板本体２０８Ａと、内板本体２０８Ａの下面から下方に延びる内板接続部２０９Ａとを有している。内板本体２０８Ａの厚さと内板接続部２０９Ａの厚さとは等しい。内板接続部２０９Ａの第一の直交方向Ｖの長さは内板本体２０８Ａの第一の直交方向Ｖの長さよりも短く、内板本体２０８Ａと内板接続部２０９Ａとの接続部分には、第一の直交方向Ｖの両側に内板段部２１０Ａが形成されている。
外板２０７Ａは、厚さ方向Ｕに見たときに矩形状に形成された外板本体２１１Ａと、外板本体２１１Ａの下面から下方に延びる外板接続部２１２Ａとを有している。外板接続部２１２Ａの厚さは外板本体２１１Ａの厚さよりも薄く、外板本体２１１Ａと外板接続部２１２Ａとの接続部分における内板２０６Ａとは反対側には、第一の外板段部２１３Ａが形成されている（図６参照。）。
外板接続部２１２Ａの第一の直交方向Ｖの長さは外板本体２１１Ａの第一の直交方向Ｖの長さよりも短く、外板本体２１１Ａと外板接続部２１２Ａとの接続部分には、第一の直交方向Ｖの両側に第二の外板段部２１４Ａが形成されている。
外板本体２１１Ａの４つの隅部は、厚さ方向Ｕに見たときに四分円状にそれぞれ形成されている。
【００４１】
本実施形態では、例えば内板２０６Ａ、２０６Ｂは合板で形成され、外板２０７Ａ、２０７Ｂは木材の小片を接着剤等で固めたパーティクルボードで形成されている。外板２０７Ａ、内板２０６Ａ、内板２０６Ｂ、及び外板２０７Ｂは、この順で厚さ方向Ｕに重ねられ、互いに接着剤等により取付けられることで芯部材２０５を構成している。
【００４２】
外板２０７Ａと内板２０６Ａとの間には、外板２０７Ａの縁部の全周にわたり外形段部２１６が形成されている。同様に、外板２０７Ｂと内板２０６Ｂとの間には、外板２０７Ｂの縁部の全周にわたり外形段部２１７が形成されている。
外形段部２１６と外形段部２１７とにより構成される溝部２１８は、芯部材２０５における第一の主面２０５ａ及び第二の主面２０５ｂにそれぞれ連なる側面２０５ｃに全周にわたり形成されている。デスクトップパネル２００のうち溝部２１８が形成される部分は、デスクトップパネル２００が切り欠かれたように凹むことで、デスクトップパネル２００の他の部分よりも強度が低くなっている。
このように、内板２０６Ａ、２０６Ｂの外形と外板２０７Ａ、２０７Ｂの外形とが異なることで、芯部材２０５に溝部２１８が形成される。
芯部材２０５の側面２０５ｃのうち、外板接続部２１２Ａ、２１２Ｂにおける外板本体２１１Ａ、２１１Ｂとは反対側（下方）の部分が、後述するように上端面６７Ａ、６７Ｂにデスクトップパネル２００を取付けたときに芯部材２０５の下方Ｚ１の先端となる側面２０５ｃである先端側面２０５ｄとなる。
【００４３】
クロス２２５の端部は、外形段部２１６に配置され接着剤等により外形段部２１６に取付けられている。同様に、クロス２２６の端部は、外形段部２１７に配置され接着剤等により外形段部２１７に取付けられている。すなわち、クロス２２５、２２６の端部が溝部２１８内に収容されることで、芯部材２０５にクロス２２５、２２６が取付けられている。
クロス２２５、２２６の端部が溝部２１８内に収容されることで、外部からクロス２２５、２２６の端部が見えにくくなり、デスクトップパネル２００の外観が向上する。
【００４４】
クロス２２５、２２６は、布等で形成することができる。
外板２０７Ａの第一の外板段部２１３Ａ上にクロス２２５が配置されることで、クロス２２５に表面段部（段部）２２５ａが形成される。同様に、外板２０７Ｂの第一の外板段部２１３Ｂ上にクロス２２６が配置されることで、クロス２２６に表面段部（段部）２２６ａが形成される。
図５及び７に示すように、クロス２２５のうち外板本体２１１Ａの４つの隅部を覆うコーナー部２２５ｂは、丸みを帯びて柔らかで暖かい印象になる。
【００４５】
このように構成されたデスクトップパネル２００は、図５に示す厚さ方向Ｕに見たときに、矩形状に形成されたパネル本体（板部本体）２０１と、パネル本体２０１の下面から下方に延びるパネル挿入部（挿入部）２０２とで構成される。パネル挿入部２０２は、芯部材２０５の先端側面２０５ｄを有している。パネル本体２０１は、デスクトップパネル２００におけるパネル挿入部２０２以外の部分である。
図４に示すように、デスクトップパネル２００のパネル挿入部２０２と、オプション取付け部材６０の没入部６３とで、本実施形態の取付け構造２を構成する。
図５に示すように、パネル挿入部２０２の第一の直交方向Ｖの長さよりも、パネル本体２０１の第一の直交方向Ｖの方が長い。パネル本体２０１とパネル挿入部２０２との接続部分には、第一の直交方向Ｖの両側に第一の段部（符号省略）が形成されている。パネル本体２０１の４つの隅部には、前述のコーナー部２２５ｂが形成される。
【００４６】
図６に示すように、パネル挿入部２０２の厚さ方向Ｕの長さ（厚さ）は、パネル本体２０１の厚さ方向Ｕの長さよりも短い（薄い）ことで、パネル挿入部２０２とパネル本体２０１との間に前述の表面段部２２５ａ、２２６ａが形成される。
図４に示すように、パネル挿入部２０２は、先端側面２０５ｄに形成された溝部２１８（以下、表面材収容先端溝２１８ａと称する）の深さＬ１よりも大きな寸法Ｌ２で没入部６３に挿入されて嵌まり込む。
【００４７】
補強部材２３０は、図５及び８に示すように、板状に形成され表面材収容先端溝２１８ａ内に配置される補強本体２３１と、補強本体２３１の端部から補強本体２３１が延びる方向とは直交する方向に延びる補強補助部２３２とを有している。
補強本体２３１の厚さ方向Ｕの長さは、第一の直交方向Ｖの一方側Ｖ１では、表面材収容先端溝２１８ａの重力以外の外力が作用しない自然状態における幅（厚さ方向Ｕの長さ）以下である。補強本体２３１の厚さ方向Ｕの長さは、第一の直交方向Ｖの他方側Ｖ２では、表面材収容先端溝２１８ａの自然状態における幅よりも長い。補強本体２３１の厚さ方向Ｕの長さは、一方側Ｖ１から他方側Ｖ２に向かうにしたがって短くなることなく長くなる。
補強本体２３１及び補強補助部２３２は、ステンレス鋼で形成された鋼板等により一体に形成されている。
デスクトップパネル２００の表面材収容先端溝２１８ａ内に補強部材２３０の補強本体２３１を補強本体２３１の第一の直交方向Ｖの一方側Ｖ１から挿入すると、補強本体２３１が表面材収容先端溝２１８ａを広げることで、表面材収容先端溝２１８ａの厚さ方向Ｕの長さが長くなる。すなわち、パネル挿入部２０２の厚さ方向Ｕの長さが長くなる。
【００４８】
図４に示すように、補強部材２３０を取付けたデスクトップパネル２００をオプション取付け部材６０の上端面６７Ａ、６７Ｂに取付けたときに、補強部材２３０の補強補助部２３２の上方Ｚ２の端部は上端面６７Ａ、６７Ｂよりも上方Ｚ２に配置される。
これにより、デスクトップパネル２００における後述するように応力が集中する上端面６７Ａ、６７Ｂ近くの部分の強度を高めることができる。
【００４９】
なお、図４に示す取付け板２４６及び固定ビス２４７により、取付け部材補助部６２Ａの補助開口部６２ａに公知の棚板ユニット（不図示）が取付けられる。
【００５０】
図２及び３に示すように、各底部材５１における幅方向Ｘの両端部には、カバー支持部材５４がそれぞれ固定されている。
カバー支持部材５４は、図３に示すように、底部材５１に固定されたベース５５と、ベース５５から奥行方向Ｙに互いに離間するように上方Ｚ２に延びる腕部５６、５７とを有している。腕部５６の上端部には、幅方向Ｘに延びるボス５６ａが設けられている。カバー支持部材５４は、腕部５６がオプション取付け部材６０側となるように底部材５１に固定されている。
【００５１】
配線カバー９０では、平板状に形成されたカバー本体９１のオプション取付け部材６０側の縁部の下面にフック部９２が設けられている。
カバー本体９１におけるフック部９２とは反対側の縁部には、ゴムなどの柔軟な材料で形成されたヒレ９３が取付けられている。
配線カバー９０は、カバー支持部材５４のボス５６ａにフック部９２を係合させるとともに腕部５７上にカバー本体９１を載置したときに、カバー本体９１が奥行方向Ｙにほぼ平行に配置され、配線カバー９０が配線挿通部５０の開口５０ａの一部を塞いだ塞ぎ状態となる。このとき、配線カバー９０は、幅方向Ｘに延びるように開口５０ａに配置され、オプション取付け部材６０の取付け部材本体６１と配線カバー９０との間に、隙間Ｓ２が形成される。なお、ヒレ９３は天板１５、１６の側面に近接もしくは当接して配置されている。
【００５２】
一方で、カバー支持部材５４のボス５６ａとフック部９２との係合を解除させることで、カバー支持部材５４から配線カバー９０を取外すと、配線カバー９０は開放状態となる。開放状態では、塞ぎ状態に比べて配線カバー９０が開口５０ａを塞ぐ範囲が小さくなる。このように、配線カバー９０は、塞ぎ状態と開放状態との間で配置を切替え可能となっている。
なお、この例では、ボス５６ａとフック部９２との係合を維持しつつ、ヒレ９３が上方Ｚ２に移動するように配線カバー９０をボス５６ａ周りに回動させると、配線カバー９０は位置Ｑに移動する。このように、カバー支持部材５４に配線カバー９０を係合させた状態で、配線カバー９０を回動させて開けることができようになっている。
【００５３】
詳細に図示はしないが、前述の床面Ｆや壁面に設けられたコンセントに接続された配線Ｃは、底部材５１の透孔５１ａを通して配線挿通部５０内に配置される。そして、天板１０の作業面１０ａ上に配置された不図示の電子機器等の幅方向Ｘの位置に応じてヒレ９３を変形させることで、配線カバー９０のカバー本体９１と天板１５、１６との間から上方Ｚ２に引き出され、前述の電子機器等に接続される。
【００５４】
なお、デスクトップパネル２００は、例えば以下のように製造される。
すなわち、図９に示すように、合板、パーティクルボードを所定の寸法にカットすることで、内板２０６Ａ、外板２０７Ａを製造する。内板２０６Ａと外板２０７Ａとを接着剤等により貼り合わせ、外板２０７Ａの縁部の全周にわたり外形段部２１６を形成する。外板２０７Ａにおける内板２０６Ａとは反対側にクロス２２５を配置し、クロス２２５の端部を外形段部２１６において接着剤等で取付ける。クロス２２５の端部を刃物等で適宜切断し、内板２０６Ａ、外板２０７Ａ、及びクロス２２５による組立体２２７Ａを製造する。
同様にして、外板２０７Ｂと内板２０６Ｂとを貼り合わせて外形段部２１７を形成し、外板２０７Ｂにクロス２２６を巻き付けて取付ける。内板２０６Ｂ、外板２０７Ｂ、及びクロス２２６による組立体２２７Ｂを製造する。
組立体２２７Ａ、２２７Ｂの内板２０６Ａと内板２０６Ｂとを接着剤等により貼り合わせることで、図６に示すデスクトップパネル２００を製造する。
【００５５】
次に、以上のように構成されたテーブル１において、オプション取付け部材６０にデスクトップパネル２００を着脱する手順について説明する。
まず、オプション取付け部材６０の取付け部材本体６１にデスクトップパネル２００を取付けるときには、使用者はデスクトップパネル２００を把持し、デスクトップパネル２００のパネル本体２０１よりもパネル挿入部２０２の方が下方Ｚ１になるようにする。
オプション取付け部材６０の没入部６３にデスクトップパネル２００のパネル挿入部２０２を挿入する。このとき、没入部６３の内面である縮幅部７４Ａ、７４Ｂ、案内部７３Ａ、７３Ｂ、及び突部７２Ａ、突部７２Ｂにより、取付け部材本体６１に対してパネル挿入部２０２が下方Ｚ１に移動するように案内される。すなわち、縮幅部７４Ａ、７４Ｂ等により、デスクトップパネル２００が奥行方向Ｙに移動するのが規制される。
図４に示すように、オプション取付け部材６０の上端面６７Ａ、６７Ｂに表面段部２２５ａ、２２６ａが係止することで、上端面６７Ａ、６７Ｂに対してデスクトップパネル２００が下方Ｚ１に移動するのが規制される。このようにして、没入部６３にパネル挿入部２０２が挿入されて嵌まり込み、オプション取付け部材６０にデスクトップパネル２００が取付けられる。
【００５６】
パネル挿入部２０２は、表面材収容先端溝２１８ａの深さＬ１よりも大きな寸法Ｌ２で没入部６３に挿入されるため、上端面６７Ａ、６７Ｂ近くにはパネル挿入部２０２における溝部２１８が形成されていない、溝部２１８が形成されている部分に比べて強度が高い部分が配置される。パネル本体２０１を揺動させると、パネル挿入部２０２は没入部６３で支持されているため、デスクトップパネル２００に作用する応力はデスクトップパネル２００における上端面６７Ａ、６７Ｂ近くの部分に集中するが、この部分の強度は高い。
パネル本体２０１が、没入部６３、すなわち天板１０の作業面１０ａから外部（上方Ｚ２）に突出する。使用者は、パネル本体２０１の４つの隅部に形成されたコーナー部２２５ｂを視認することができる。
デスクトップパネル２００が補強部材２３０を備えることでパネル挿入部２０２の厚さ方向Ｕの長さが自然状態のときよりも長くなり、突部７２Ａ、突部７２Ｂ等にパネル挿入部２０２が強く接触する。
【００５７】
オプション取付け部材６０は幅方向Ｘに延びるように形成されているため、上端面６７Ａ、６７Ｂにデスクトップパネル２００を取付ける幅方向Ｘの位置を所望の位置に調節することができる。
一方で、オプション取付け部材６０からデスクトップパネル２００を取外すには、オプション取付け部材６０に対してデスクトップパネル２００を上方Ｚ２に移動させ、没入部６３内からデスクトップパネル２００のパネル挿入部２０２を取出す。
このように、使用者が簡易的な取付け操作でデスクトップパネル２００の取付け位置を自由に変更することができるとともに、デスクトップパネル２００を薄く軽快なデザインに構成して体裁を良好に収めることができる。
【００５８】
以上説明したように、本実施形態の取付け構造２及びテーブル１によれば、オプション取付け部材６０の上端面６７Ａ、６７Ｂにデスクトップパネル２００を取付けてパネル本体２０１を揺動させると、パネル挿入部２０２は没入部６３で支持されているため、デスクトップパネル２００に作用する応力はデスクトップパネル２００における上端面６７Ａ、６７Ｂ近くの部分に集中する。パネル挿入部２０２は、表面材収容先端溝２１８ａの深さＬ１よりも大きな寸法Ｌ２で没入部６３に挿入されて嵌まり込むため、上端面６７Ａ、６７Ｂ近くにはパネル挿入部２０２における溝部２１８が形成されていない、比較的強度が高い部分が配置される。したがって、デスクトップパネル２００とオプション取付け部材６０との接続強度を高めることができる。
端部を見えなくしたクロス２２５、２２６を芯部材２０５に取付けてデスクトップパネル２００を構成することで、デスクトップパネル２００の体裁が良くなる。
【００５９】
デスクトップパネル２００に表面段部２２５ａ、２２６ａが形成されることで、上端面６７Ａ、６７Ｂにデスクトップパネル２００を取付けたときに上端面６７Ａ、６７Ｂに表面段部２２５ａ、２２６ａが係止する。したがって、上端面６７Ａ、６７Ｂに対してデスクトップパネル２００が下方Ｚ１に移動するのを規制することができる。
デスクトップパネル２００が補強部材２３０を備えることで、デスクトップパネル２００の表面材収容先端溝２１８ａが形成された部分の強度を高めることができる。
補強本体２３１の厚さ方向Ｕの長さは、第一の直交方向Ｖの一方側Ｖ１では表面材収容先端溝２１８ａの自然状態における幅以下であり、第一の直交方向Ｖの他方側Ｖ２では、表面材収容先端溝２１８ａの自然状態における幅よりも長い。デスクトップパネル２００の表面材収容先端溝２１８ａ内に補強部材２３０の補強本体２３１を補強本体２３１の第一の直交方向Ｖの一方側Ｖ１から挿入することで、表面材収容先端溝２１８ａの幅が自然状態のときよりも広がる。これにより、パネル挿入部２０２の幅も広がり、没入部６３の内面にパネル挿入部２０２が強く接触し、没入部６３にパネル挿入部２０２をより確実に取付けることができる。
【００６０】
パネル挿入部２０２の第一の直交方向Ｖの長さよりもパネル本体２０１の第一の直交方向Ｖの長さの方が長いため、パネル本体２０１の４つの隅部に丸みを帯びたコーナー部２２５ｂを設けることができる。このため、デスクトップパネル２００の体裁を柔らかで暖かい印象のものとすることができる。
芯部材２０５が互いに外径の異なる内板２０６Ａ、２０６Ｂと外板２０７Ａ、２０７Ｂとを有することで溝部２１８が形成されるため、溝部２１８が形成されたデスクトップパネル２００を容易に製造することができる。
【００６１】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、補強部材２３０の補強本体２３１の厚さ方向Ｕの長さは、第一の直交方向Ｖの一方側Ｖ１と他方側Ｖ２とで等しくてもよい。このように構成してもデスクトップパネル２００の強度を高めることができるからである。
デスクトップパネル２００に表面段部２２５ａ、２２６ａが形成されず、没入部６３の底面にパネル挿入部２０２の下方Ｚ１の端部が接触することで、上端面６７Ａ、６７Ｂに対してデスクトップパネル２００が下方Ｚ１に移動するのを規制してもよい。
【００６２】
外板２０７Ａ、２０７Ｂが比較的厚い場合等には、補強部材２３０は補強補助部２３２を備えず補強本体２３１だけで構成されてもよいし、デスクトップパネル２００に補強部材２３０は備えられなくてもよい。
デスクトップパネル２００の第一の直交方向Ｖの長さは、パネル本体２０１とパネル挿入部２０２とで等しくてもよい。
什器はテーブル１であるとしたが、什器はこれに限定されず、デスク装置やローパーテション等でもよい。
【符号の説明】
【００６３】
１    テーブル（什器）
２    取付け構造
１０  天板
１０ａ  作業面
２０  脚部
５０  配線挿通部（凹部）
６０  オプション取付け部材（支持部材）
６３  没入部
６７Ａ、６７Ｂ  上端面（取付け面）
２００  デスクトップパネル（板部材）
２０１  パネル本体（板部本体）
２０２  パネル挿入部（挿入部）
２０５  芯部材
２０５ａ  第一の主面
２０５ｂ  第二の主面
２０５ｃ  側面
２０６Ａ、２０６Ｂ  内板
２０７Ａ、２０７Ｂ  外板
２１８  溝部
２２５、２２６  クロス（表面部材）
２２５ａ、２２６ａ  表面段部（段部）
２３０  補強部材
Ｌ１  深さ
Ｌ２  寸法
Ｕ    厚さ方向
Ｖ    第一の直交方向（直交方向）
Ｖ１  一方側
Ｖ２  他方側
Ｚ１  下方（内部方向）
【図１】
0006455976.tif 000002
【図２】
0006455976.tif 000003
【図３】
0006455976.tif 000004
【図４】
0006455976.tif 000005
【図５】
0006455976.tif 000006
【図６】
0006455976.tif 000007
【図７】
0006455976.tif 000008
【図８】
0006455976.tif 000009
【図９】
0006455976.tif 000010